(57)【要約】【課題】バックライトアセンブリの体積および面積を減少することができるバックライトアセンブリ及びこれを有する表示装置を提供する。【解決手段】バックライトアセンブリは、ランプアセンブリ、収納容器、及びパネルガイドフレームを含む。ランプアセンブリは、光を発生する光源及び光を集光するカバーを含む。収納容器は、カバーが配置される底面及びカバーと向い合うように配置され、カバーに対して第１間隔を有して離隔された第１側壁部および周辺部に形成され、カバーに対して第１間隔より狭い第２間隔を有して離隔された第２側壁部が形成された側壁を有する。パネルガイド部材は、周辺部と向い合うように側壁の上面に配置された第１フレーム部、第１フレーム部から第２側壁部の側面に沿って延びられ、第１側壁部と結合される開口が形成された第２フレーム部を有する。【選択図】図１
2006185914.tif 000002
【特許請求の範囲】
【請求項１】
光を発生する光源及び前記光を集光するカバーを含むランプアセンブリと、
前記カバーが配置される底面及び前記カバーと向い合うように配置され、前記カバーに対して第１間隔を有して離隔された第１側壁部及び前記第１側壁部に近接するように配置され、前記カバーに対して前記第１間隔より狭い第２間隔を有して離隔された第２側壁部が形成された側壁を有する収納容器と、
前記底面の周辺部と向い合うように前記側壁の上面に配置された第１フレーム部、前記第１フレーム部から前記第２側壁部の側面に沿って延び、前記第１側壁部と対応する領域に開口が形成された第２フレーム部を有するパネルガイドフレームと、を含むことを特徴とするバックライトアセンブリ。
【請求項２】
前記第１側壁部及び前記第２側壁部は、前記底面の周辺部上に交互に配置されることを特徴とする請求項１記載のバックライトアセンブリ。
【請求項３】
前記第１側壁部及び前記第２側壁部は、前記底面の周辺部上に相互に平行に配置されることを特徴とする請求項１記載のバックライトアセンブリ。
【請求項４】
前記第１側壁部は、前記底面に対して第１高さを有し、前記第２側壁部は、前記底面に対して前記第１高さより低い第２高さを有することを特徴とする請求項１記載のバックライトアセンブリ。
【請求項５】
前記第２側壁部と前記第１側壁部との間のギャップは、前記第１側壁部に対して垂直な方向に０．６ｍｍ〜５ｍｍの範囲内であることを特徴とする請求項１記載のバックライトアセンブリ。
【請求項６】
前記ランプカバーは、前記底面と向い合う第１光反射面、前記第１光反射面と向い合う第２光反射面、及び前記第１及び第２光反射面を連結して前記第２側壁部と近接する第３光反射面を有することを特徴とする請求項１記載のバックライトアセンブリ。
【請求項７】
前記第１側壁部には、当該第１側壁部から突出した締結突起が形成されることを特徴とする請求項１記載のバックライトアセンブリ。
【請求項８】
前記第１側壁部の表面及び前記第２フレーム部の表面は、実質的に同一の平面上に配置されることを特徴とする請求項１記載のバックライトアセンブリ。
【請求項９】
前記第２フレーム部は、前記第１側壁部よりも大きな厚さを有し、前記第２フレーム部の前記開口には、前記第１側壁部を支持する段差が形成されることを特徴とする請求項８記載のバックライトアセンブリ。
【請求項１０】
前記第２側壁部には第１結合部が形成され、前記第２フレーム部には前記第１結合部と結合される第２結合部が形成されることを特徴とする請求項１記載のバックライトアセンブリ。
【請求項１１】
前記第１結合部は結合溝であり、前記第２結合部は前記結合溝に結合される結合突起であることを特徴とする請求項１０記載のバックライトアセンブリ。
【請求項１２】
前記第１結合部は結合突起であり、前記第２結合部は前記結合突起に結合される結合溝であることを特徴とする請求項１０記載のバックライトアセンブリ。
【請求項１３】
光を発生する光源及び前記光を集光するカバーを含むランプアセンブリと、
前記カバーを支持する底面、前記底面の周辺部上に形成された第１側壁部及び前記底面の前記周辺部上に前記第１側壁部の間に形成され、前記第１側壁部に対してずれるように配置され、前記カバーを支持する第２側壁部が形成された側壁を含む収納容器と、
前記底面と向い合う第１フレーム部、前記第１フレーム部から前記側壁に沿って延び、前記第２側壁部に対応する位置に第１開口が形成された第２フレーム部を有するパネルガイドフレームと、を含むことを特徴とするバックライトアセンブリ。
【請求項１４】
前記第１側壁部及び前記第２側壁部は、相互に平行に配置されることを特徴とする請求項１３記載のバックライトアセンブリ。
【請求項１５】
前記第２側壁部は第１結合部が形成され、前記第２フレーム部には前記第１結合部と結合される第２結合部が形成されることを特徴とする請求項１３記載のバックライトアセンブリ。
【請求項１６】
前記第１結合部は結合溝であり、前記第２結合部は前記結合溝に結合される結合突起であることを特徴とする請求項１５記載のバックライトアセンブリ。
【請求項１７】
前記第１結合部は結合突起であり、前記第２結合部は前記結合突起に結合される結合溝であることを特徴とする請求項１５記載のバックライトアセンブリ。
【請求項１８】
光を発生する光源及び前記光を集光するカバーを含むランプアセンブリと、
前記カバーを支持する底面及び前記底面の周辺部の一部に形成され、前記カバーに対して第１間隔を有して離隔された第１側壁部及び前記周辺部に形成され、前記カバーに対して前記第１間隔より実質的に狭い第２間隔を有して離隔された第２側壁部が形成された側壁を有する収納容器と、を含み、
前記第２側壁部と前記第１側壁部とのギャップは、前記第１側壁部に対して垂直な方向に０．６ｍｍ〜５ｍｍの範囲内であることを特徴とするバックライトアセンブリ。
【請求項１９】
前記第１側壁部及び第２側壁部は、互いに平行であることを特徴とする請求項１８記載のバックライトアセンブリ。
【請求項２０】
前記第２側壁部には第１結合部が形成され、前記第２フレーム部には前記第１結合部と結合される第２結合部が形成されることを特徴とする請求項１８記載のバックライトアセンブリ。
【請求項２１】
前記第１結合部は結合溝であり、前記第２結合部は前記結合溝に結合される結合突起であることを特徴とする請求項２０記載のバックライトアセンブリ。
【請求項２２】
前記第１結合部は結合突起であり、前記第２結合部は前記結合突起に結合される結合溝であることを特徴とする請求項２０記載のバックライトアセンブリ。
【請求項２３】
前記光を発生する光源及び前記光を集光するカバーを含むランプアセンブリと、
前記カバーを支持する底面、前記底面の周辺部上に形成され、前記カバーをガイドする第１側壁部及び前記底面の前記周辺部上に前記第１側壁部に対して実質的にずれるように配置された第２側壁部が形成された側壁を含む収納容器と、
前記底面と向い合い、前記周辺部と向い合うように形成された第１フレーム部、前記第１フレーム部から前記側壁に沿って延び、前記第２側壁部と対応する位置に第１開口が形成された第２フレーム部を有するパネルガイドフレームと、
前記第１フレーム部に配置され、前記光で画像を表示する表示パネルと、
前記表示パネルを前記収納容器に固定するシャーシと、を含むことを特徴とする表示装置。
【請求項２４】
前記第１側壁部及び前記第２側壁部は、前記周辺部上に交互に配置されることを特徴とする請求項２３記載の表示装置。
【請求項２５】
前記第１側壁部及び前記第２側壁部は、前記周辺部上に相互に平行に配置されることを特徴とする請求項２３記載の表示装置。
【請求項２６】
前記第１側壁部は、前記底面に対して第１高さを有し、前記第２側壁部は、前記底面に対して全前記第１高さより低い第２高さを有することを特徴とする請求項２３記載の表示装置。
【請求項２７】
前記第１側壁部と前記第２側壁部との間のギャップは、前記第１側壁部に対して垂直な方向に０．６ｍｍ〜５ｍｍの範囲内であることを特徴とする請求項２３記載の表示装置。
【請求項２８】
前記第２側壁部には第１結合部が形成され、前記第２フレーム部には前記第１結合部と結合される第２結合部が形成されることを特徴とする請求項２３記載の表示装置。
【請求項２９】
前記第１結合部は結合溝であり、前記第２結合部は前記結合溝に結合される結合突起であることを特徴とする請求項２８記載の表示装置。
【請求項３０】
前記第１結合部は結合突起であり、前記第２結合部は前記結合突起に結合される結合溝であることを特徴とする請求項２８記載の表示装置。
【請求項３１】
前記シャーシは、前記表示パネルの周辺部に配置される第１シャーシ部、及び前記第１シャーシ部から前記側壁に沿って延びた第２シャーシ部を含むことを特徴とする請求項２３記載の表示装置。
【発明の詳細な説明】
【技術分野】
【０００１】
本発明は、バックライトアセンブリ及びこれを有する表示装置に関し、より具体的には、コンパクトなサイズを有するバックライトアセンブリ及びこれを有する表示装置に関する。
【背景技術】
【０００２】
一般的に、表示装置は情報処理装置にて処理された画像を表示する。表示装置の一つである液晶表示装置は液晶を用いて画像を表示する。
【０００３】
一般的な液晶表示装置は、向い合う一対の基板を含み、各基板には電界を形成するための電極が配置される。基板の間には液晶が注入され、これによって基板の間には液晶層が形成される。電界は、液晶層に含まれた液晶分子の配列を変更させ、液晶分子を通過する光の透過率が液晶の配列によって変更され、液晶表示装置から画像が表示される。
【０００４】
液晶表示装置は、画像を表示するために、液晶表示パネル及びバックライトアセンブリを含む。
【０００５】
液晶表示パネルは、一対の基板、基板にそれぞれ形成された画像電極、共通電極、及び画像電極と共通電極との間に介在された液晶層を含む。
【０００６】
バックライトアセンブリは、光を液晶表示パネルに提供する。バックライトアセンブリは、液晶表示パネルを収納する収納容器、収納容器に収納されたランプ、ランプから発生した光の特性を向上させる光学部材、液晶表示パネルを収納容器に収納するためのパネルガイド部材、及び液晶表示パネルを収納容器に固定させるシャーシなどを含む。
【０００７】
しかし、従来のバックライトアセンブリは、収納容器、パネルガイド部材、及びシャーシが重なり、画像が表示されない非有効表示領域の面積が増加するという問題点がある。
【発明の開示】
【発明が解決しようとする課題】
【０００８】
したがって、本発明の目的は、従来技術による一つまたはその以上の問題点及び制限を実質的に除去することにある。
【０００９】
本発明の他の目的は、バックライトアセンブリの画像が表示される有効表示領域を囲む非有効表示領域の大きさを減少させることにある。
【００１０】
本発明の更に他の目的は、前記バックライトアセンブリを有する表示装置を提供することにある。
【課題を解決するための手段】
【００１１】
このような本発明の一目的を具現するために、本発明によるバックライトアセンブリは、ランプアセンブリ、収納容器、及びパネルガイド部材を含む。ランプアセンブリは、光を発生する光源及び前記光を集光するカバーを含む。収納容器は、カバーが配置される底面及びカバーと向い合うように配置され、カバーに対して第１間隔を有して離隔された第１側壁部、及び周辺部に形成されてカバー対して第１間隔より狭い第２間隔を有して離隔された第２側壁部が形成された側壁を有する。パネルガイド部材は、周辺部と向い合うように側壁の上面に配置された第１フレーム部、第１フレーム部から第２側壁部の側面に沿って延び、第１側壁部と対応する領域に開口が形成された第２フレーム部を有する。
【００１２】
また、本発明の他の目的による表示装置は、ランプアセンブリ、収納容器、パネルガイドフレーム、表示パネル、及びシャーシを含む。ランプアセンブリは、光を発生する光源及び前記光を集光するカバーを含む。収納容器は、カバーを支持する底面、底面の周辺部上に形成され、カバーをガイドする第１側壁部及び底面の周辺部上に第１側壁部に対して実質的にずれるように配置された第２側壁部が形成された側壁を含む。パネルガイドフレームは、底面と向い合い、周辺部と向い合うように形成された第１フレーム部、第１フレーム部から側壁に沿って延び、第２側壁部に介在される第１開口が形成された第２フレーム部を有する。表示パネルは、第１フレーム部に配置され、光で画像を表示し、シャーシは表示パネルを収納容器に固定する。
【発明の効果】
【００１３】
本発明によれば、バックライトアセンブリの収納容器の側壁の構造を改善してバックライトアセンブリの側壁及び表示パネルをガイドする表示パネルガイド部材を重なり合わせたバックライトアセンブリにより、画像を表示しない部分の体積および面積をより減少させることができる。
【発明を実施するための最良の形態】
【００１４】
以下、添付した図面を参照して本発明の望ましい実施形態を詳細に説明する。
【００１５】
＜バックライトアセンブリ＞
図１は、本発明の一実施形態によるバックライトアセンブリの斜視図である。図２は、図１に示したバックライトアセンブリの分解斜視図である。
【００１６】
図１及び図２を参照すると、バックライトアセンブリ５００は、ランプアセンブリ１００、収納容器２００、及びパネルガイド部材（パネルガイドフレーム）３００を含む。選択的に、バックライトアセンブリ５００は、導光板４１０、及び光学部材４２０を更に含むことができる。
【００１７】
図３は、図２に示したランプアセンブリを示した部分切開斜視図である。
【００１８】
図３を参照すると、ランプアセンブリ１００は、画像を表示するための光を発生する。ランプアセンブリ１００は、ランプ１１０及びランプカバー（カバー）１２０を含む。
【００１９】
ランプ１１０は、ランプ本体１１２、及びランプ本体１１２に配置された一対の電極１１４を含む。本実施形態で、ランプ１１０は、冷陰極線管ランプ（ＣＣＦＬ）を含むことができる。
【００２０】
ランプ本体１１２は、例えば、棒形状、Ｕ字形状、またはＣ字形状を有することができる。ランプ本体１１２は、放電ガス及び蛍光層を有する。放電ガスは、水銀、アルゴン、ネオン、キセノン、クリプトン、などを含み、蛍光層は、ランプ本体１１２の内側面に形成される。
【００２１】
一対の電極１１４は、ランプ本体１１２の外側面またはランプ本体１１２の内側面に配置することができる。放電電圧は、電圧印加装置などから一対の電極１１４にそれぞれ印加される。放電電圧は、ランプ本体１１２の内部で電子を移送するのに十分な電圧差を有する。
【００２２】
放電ガスは、ランプ本体１１２の内部で移送される電子と衝突し、この結果、紫外線のような非可視光線は放電ガスから発生される。蛍光層は非可視光線を可視光線に変更させる。
【００２３】
ランプカバー１２０は、ランプ本体１１２から放出された可視光線を集光し、これによって可視光線の利用効率が向上する。
【００２４】
ランプカバー１２０は、第１光反射面１２２、第２光反射面１２４、及び第３光反射面１２６を含む。
【００２５】
第１光反射面１２２乃至第３光反射面１２４は、例えば、直六面体プレートの形状を有する。第２光反射面１２４は、第１光反射面１２２と向い合うように配置され、第３光反射面１２６は、第１光反射面１２２及び第２光反射面１２４を連結させる。
【００２６】
本実施形態で、ランプアセンブリ１００は、ランプホルダー１２８を更に含むことができる。ランプホルダー１２８はランプカバー１２０の内部に配置され、ランプ１１０はランプホルダー１２８によって固定される。
【００２７】
ランプ１１０から放出された光は、ランプカバー１２０の第１乃至第３光反射面（１２２、１２４、１２６）で集光された後、ランプカバー１２０の外部に出射される。
【００２８】
図４は、図２に示した導光板を示した部分切開図である。
【００２９】
図４を参照すると、導光板４１０は、ランプカバー１２０に結合される。導光板４１０は、ランプ１１０から放出した光の輝度均一性を向上させる。
【００３０】
導光板４１０は、例えば、直六面体プレートの形状を有する。したがって、導光板４１０は、四つの側面（４１１、４１２、４１３、４１４）、四つの側面（４１１、４１２、４１３、４１４）に連結された光反射面４１５、光反射面４１５と対向する光出射面４１６を有する。
【００３１】
導光板４１０の側面４１１、４１２、４１３、４１４は二種に区分される。相互に対向して第１平面積を有する第１側面（４１２、４１４）、第１平面積より小さい第２平面積を有して相互に対向する一対の第２側面（４１１、４１３）で構成される。
【００３２】
再び図２を参照すると、ランプアセンブリ１００は、導光板４１０の第１側面（４１２、４１４）と向い合うように配置され、ランプアセンブリ１００から放出された光は、第１側面（４１２、４１４）を通じて導光板４１０の内部に提供される。導光板４１０の内部に提供された光は、導光板４１０の光出射面４１６を通じて出射される。
【００３３】
図５は、図２の「Ｂ」部分を拡大した拡大斜視図である。
【００３４】
図５を参照すると、収納容器２００は、底面２１０、及び収納領域を形成するための側壁２２０を含む。
【００３５】
図６は、図１の収納容器に結合されたランプアセンブリを示した斜視図である。図７は、図４に示したバックライトアセンブリの平面図である。
【００３６】
図３、図５乃至図７を参照すると、収納容器２００の底面２１０は、ランプアセンブリ１００、及び導光板４１０を支持する。導光板４１０は、収納容器２００の底面２１０の中央領域に配置され、ランプアセンブリ２００は、導光板４１０と収納容器２００の側壁２００との間に介在される。したがって、ランプアセンブリ１００のランプカバー１２０の第３光反射面１２４は、収納容器２００の側壁２２０と向い合うように配置される。
【００３７】
収納容器２００の側壁２２０は、底面２１０の周辺部に配置され、側壁２２０は、底面２１０に対して実質的に垂直な方向に配置される。
【００３８】
側壁２２０は二種、例えば、第１側壁２２２及び第２側壁２２４を有する。
【００３９】
第１側壁２２２は、ランプカバー１２０の第３光反射面１２４と平行に配置される。望ましくは、第１側壁２２２は、少なくとも二つが底面２１０の周辺部上に形成されてもよい。
【００４０】
第１側壁２２２とランプカバー１２０の第３光反射面１２４との間の第１間隔は、「Ｔ１」で示される。第１側壁２２２上には、例えば、第１かかり突起２２２ａ（締結突起）が形成される。第１かかり突起２２２ａは第１側壁２２２の一部から突出される。本実施形態において、第１側壁２２２は、底面２１０に対して第１高さＨ１で形成される。これとは異なり、第１側壁２２２上にはかかり溝を形成することもできる。
【００４１】
第２側壁２２４は、ランプカバー１２０と平行に配置された底面２１０の周辺部上に形成される。望ましくは、第２側壁２２４は第１側壁２２２の両側に配置することができ、第１側壁２２２及び第２側壁２２４は相互に平行に配置される。第２側壁２２４とランプカバー１２０の第３光反射面１２４との間の第２間隔は、「Ｔ２」で示す。第２側壁２２４上には、例えば、第２かかり突起２２４ａ（結合突起）が形成される。第２かかり突起２２４ａは、第２側壁２２４の一部から突出される。第２側壁２２４は、底面２１０に対して第２高さＨ２で形成される。第２側壁２２４の第２高さＨ２は、第１高さＨ１より低い高さを有する。これとは異なり、第２側壁２２４上には、かかり溝（結合溝）を形成することもできる。
【００４２】
本実施形態で、第２側壁２２４と前記第１側壁２２２とのギャップＧは、第１側壁２２２に対して垂直な方向に約０．６ｍｍ〜約５ｍｍであることが望ましい。第２側壁２２４と第１側壁２２２との間のギャップＧは、後述するパネルガイド部材の第２フレーム部の厚さと実質的に同一であることが望ましい。
【００４３】
図８は、図１に示したバックライトアセンブリの「Ａ」部分の拡大図である。図９は、図８の一部を切開した切開斜視図である。
【００４４】
図１、図８、及び図９を参照すると、収納容器２００には、パネルガイド部材３００が結合される。パネルガイド部材３００は、後述する表示パネルを収納容器２００の指定された位置に堅固に結合される。
【００４５】
パネルガイド部材３００は、第１フレーム部３１０及び第２フレーム部３２０を含む。
【００４６】
図１０は、図９に示したバックライトアセンブリのＩ−Ｉ’線に沿う断面図である。
【００４７】
図１０を参照すると、第１フレーム部３１０はプレート形状を有し、収納容器２００の第１側壁２２２上に底面２１０と向い合うように配置される。第１フレーム部３１０は、後述する表示パネルをサポートする。
【００４８】
第２フレーム部３２０は、プレート形状を有し、第２フレーム部３２０は、第１フレーム部３１０に連結される。望ましくは、第２フレーム部３２０は、第１フレーム部３１０に対して垂直な方向に連結される。したがって、第２フレーム３２０は、第１側壁２２２及び第２側壁２２４に対して平行な方向に形成される。
【００４９】
第２フレーム３２０及び第２側壁２２４は相互に結合される。第２フレーム部３２０及び第２側壁２２４を相互に結合するために、第２側壁２２４に形成された第２かかり突起２２４ａ（結合突起）と対応する第２フレーム部３２０には、締結部３２０ａ（結合溝）が形成される。望ましくは、３２０ａは、貫通孔であることができる。これとは異なり、結合溝３２０ａの代わりに結合突起が設けられてもよい。
【００５０】
図１１は、図８に示したバックライトアセンブリのＩＩ−ＩＩ’線に沿う断面図である。
【００５１】
図１１を参照すると、第１側壁２２２と重なる第２フレーム部３２０の厚さは、第１側壁２２２の厚さより厚く形成される。第２フレーム部３２０の一部には、第２側壁が第２フレーム部３２０に対して露出するように開口３２２が形成される。ここで、第１側壁２２２の一部が第２フレーム部３２０と接触するよう、第２フレーム部３２０に形成された開口３２２の周辺には段差が形成される。本実施形態で、第２フレーム３２０及び第１側壁２２２は同一平面上に配置される。
【００５２】
図２及び図１１を参照すると、本実施形態によるバックライトアセンブリ５００は、光学シート４２０を更に含むことができる。光学シート４２０は、拡散シート４２２、プリズムシート４２４、輝度向上フィルム４２６、及び反射板４２８を含むことができる。
【００５３】
拡散シート４２２は、導光板４１０の光出射面４１８から出射された光の輝度分布をより向上させ、導光板４１０の光出射面４１８に出射された光と光出射面４１８との間で形成される角度をより増加させる。
【００５４】
プリズムシート４２４は、拡散シート４２２の上面に配置され、プリズムシート４２４には、拡散シート４２２から出射された光を集光するためのプリズムパターンが形成される。プリズムシート４２４は、拡散シート４２２から出射された光を実質的に垂直に近く変更させる。望ましくは、拡散シート４２２の上面には少なくとも２枚のプリズムシート４２４が配置され、各プリズムシート４２４のプリズムパターンは実質的に直交することが望ましい。
【００５５】
輝度向上フィルム４２６は、プリズムシート４２４の上面に配置され、後述する表示パネルに入射される光の輝度をより向上させる。
【００５６】
反射板４２８は、収納容器２００の底面及び導光板４１０の光反射面４１６から漏洩した光を導光板４１０に再び入射させる。
【００５７】
＜表示装置＞
図１２は、本発明の一実施形態による表示装置の分解斜視図である。
【００５８】
図１２を参照すると、表示装置８００は、バックライトアセンブリ５００、表示パネル６００、及びシャーシ７００を含む。
【００５９】
バックライトアセンブリ５００は、ランプアセンブリ１００、収納容器２００、及びパネルガイド部材３００を含む。選択的に、バックライトアセンブリ５００は、導光板４１０、及び光学部材４２０を更に含むことができる。
【００６０】
表示パネル６００から画像を表示するための光は、ランプアセンブリ１００から発生される。ランプアセンブリ１００は、ランプ１１０及びランプカバー１２０を含む。
【００６１】
ランプ１１０は、ランプ本体１１２及びランプ本体１１２に配置された一対の電極を含む。本実施形態において、ランプ１１０は冷陰極線管ランプを含むことができる。
【００６２】
ランプ本体１１２は、棒形状、Ｕ字形状、またはＣ字形状を有することができる。ランプ本体１１２は、放電ガス（図示せず）及び蛍光層（図示せず）を有する。放電ガスは、水銀、アルゴン、キセノン、クリプトンなどを含み、蛍光層はランプ本体１１２の内側面に形成される。
【００６３】
一対の電極は、ランプ本体１１２の外側面またはランプ本体１１２の内側面に配置することができる。放電電圧は、インバータなどから一対の電極に印加される。放電電圧は、ランプ本体１１２の内部で電子を移送するのに十分な電圧差を有する。
【００６４】
ランプ本体１１２の内部で電子が移送される間、電子はランプ本体１１２に注入された放電ガスと衝突し、非可視光線が放電ガスから発生される。蛍光層は、非可視光線を可視光線に変更させる。
【００６５】
ランプカバー１２０は、ランプ本体１１２から放出された可視光線を集光し、これによって可視光線の利用効率が向上される。
【００６６】
ランプカバー１２０は、第１光反射面１２２、第２光反射面１２４、及び第３光反射面１２６を含む。
【００６７】
第１光反射面１２２乃至第３光反射面１２６は、直六面体プレート形状を有する。第２光反射面１２４は、第１光反射面１２２と向い合うように配置され、第３光反射面１２６は、第１光反射面１２２及び第２光反射面１２４を相互に連結させる。
【００６８】
ランプホルダー１２８は、ランプカバー１２０の内部に配置され、ランプ１１０はランプホルダー１２８によって固定される。
【００６９】
ランプ１１０から放出された光は、ランプカバー１２０の第１乃至第３光反射面（１２２、１２４、１２６）で反射された後、ランプカバー１２０の外部に出射される。
【００７０】
導光板４１０は、ランプカバー１２０に結合される。導光板４１１０は、ランプアセンブリ１００から放出された光の輝度均一性を向上させる。したがって、導光板４１０は、四つの側面、四つの側面に連結された光反射面４１６、光反射面４１６と対向する光出射面４１８を有する。側面は、第１平面積を有して対応する一対の第１側面、第１平面積より小さくて相互に対向する一対の第２側面で構成される。
【００７１】
ランプアセンブリ１００のランプ１１０は、導光板４１０の第１側面と向い合うように配置され、ランプ１１０から放出された光は、第１側面を通じて導光板４１０の内部に提供される。導光板４１０の内部に提供された光は、導光板４１０の光出射面４１８を通じて出射される。
【００７２】
収納容器２００は、底面２１０及び収納領域を形成するための側壁２２０を含む。
【００７３】
収納容器２００の底面２１０は、ランプアセンブリ１００及び導光板４１０を支持する。導光板４１０は、底面２１０の中央領域に配置され、ランプアセンブリ１００は、導光板４１０及び収納容器２００の側壁２２０の間に介在される。したがって、ランプアセンブリ１００のランプカバー１２０の第３光反射面１２６は、収納容器２００の側壁２２０と向い合うように配置される。
【００７４】
図１３は、図１２をアセンブリした表示装置の斜視図である。図１４は、図１３に示した表示装置のＩＩＩ−ＩＩＩ’に沿う断面図である。図１５は、図１３に示した表示装置のＩＶ−ＩＶ’に沿う断面図である。
【００７５】
図１３乃至図１５を参照すると、収納容器２００の側壁２２０は、底面２１０の周辺部に配置され、側壁２２０は底面２１０に対して実質的に垂直な方向に配置される。
【００７６】
側壁２２０は、二種、例えば、第１側壁２２２及び第２側壁２２４を有する。
【００７７】
第１側壁２２２は、ランプカバー１２０と平行に配置された底面２１９の周辺部上に形成される。望ましくは、第１側壁２２２は少なくとも二つが底面２１０の周辺部上に形成される。第１側壁２２２及びランプカバー１２０の第３光反射面１２６は、第１間隔を有する。第１側壁２２２上には、第１かかり突起２２２ａ（締結突起）が形成される。第１かかり突起２２２ａは第１側壁２２２の一部から突出される。本実施形態において、第１側壁２２２は、底面２１０に対して第１高さを有する。
【００７８】
第２側壁２２４は、ランプカバー１２０の第３光反射面１２６に対して平行に配置された底面２１０の周辺部上に形成される。望ましくは、第２側壁２２４は、第１側壁２２４の両側に配置することができ、第１側壁２２２及び第２側壁２２４は、相互に平行に配置される。第２側壁２２４及びランプカバー２１０の第３光反射面２１６は、第２間隔を有する。第２側壁上には、第２かかり突起２２４ａ（結合突起）が形成される。第２かかり突起２２４ａは第２側壁２２４の一部から突出される。第２側壁２２４は底面２１０に対して第２高さを有する。第２側壁２２４の高さは第１側壁２２２の第１高さより低い。
【００７９】
本実施形態で、第２側壁２２４と前記第１側壁２２２との間のギャップＧは、第１側壁２２２に対して垂直な方向に０．６ｍｍ〜５ｍｍであることが望ましい。第２側壁２２４と第１側壁２２２とのギャップＧは、後述されるパネルガイド部材の第２フレーム部の厚さと実質的に同一である。
【００８０】
収納容器２００には、パネルガイド部材３００が結合される。パネルガイド部材３００は、後述する表示パネルを収納容器２００の指定された位置に堅固に結合する。
【００８１】
パネルガイド部材３００は、第１フレーム部３１０及び第２フレーム部３２０を含む。
【００８２】
第１フレーム部３１０は、プレート形状を有し、収納容器２００の第１側壁２２２上に底面２１０の周辺部と向い合うように配置される。第１フレーム３１０は後述する表示パネルをサポートする。
【００８３】
第２フレーム部３２０は、プレート形状を有し、第２フレーム部３２０は第１フレーム部３１０に連結される。望ましくは、第２フレーム部３２０は、第１フレーム部３１０に対して垂直な方向に連結される。したがって、第２フレーム部３１０は、第１側壁２２２及び第２側壁２２４に対して平行となる。
【００８４】
第２フレーム部３１０及び第２側壁２２４は、相互に結合される。第２フレーム３１０及び第２側壁２２４を相互に結合するために、第２速側壁２２４に形成された第２かかり突起２２４ａと対応する第２フレーム部３２０には、締結部３２０ａ（結合溝）が形成される。望ましくは、締結部３２０ａは貫通孔であることができる。
【００８５】
第１側壁２２２と重なる第２フレーム部３２０の厚さは、第１側壁２２２の厚さより厚く形成される。第２フレーム部３２０の一部には、第２側壁２２２が第２フレーム部３２０に対して露出するように、開口３２２が形成される。ここで、第１側壁２２２の周辺部が第２フレーム部３２０と接触するよう、第２フレーム部３２０に形成された開口３２２の周辺には段差が形成される。
【００８６】
したがって、第２フレーム部３２０及び第１側壁２２２は同一平面上に配置される。
【００８７】
本実施形態によるバックライトアセンブリ５００は、光学シートを更に含むことができる。光学シート４２０は、拡散シート４２２、プリズムシート４２４、輝度向上フィルム４２６、及び反射板４２８を含むことができる。
【００８８】
拡散シート４２２は、導光板４１０の光出射面４１８から出射された光の輝度分布をより向上させ、導光板４１０の光出射面４１８に出射された光と光出射面４１８との間で形成される角度をより増加させる。
【００８９】
プリズムシート４２４は、拡散シート４２２の上面に配置され、プリズムシート４２４には、拡散シート４２２から出射された光を集光するためのプリズムパターンが形成される。プリズムシート４２４は、拡散シート４２２から出射された光を実質的に垂直に近く変更させる。望ましくは、拡散シート４２２の上面には少なくとも２枚のプリズムシート４２４が配置され、各プリズムシート４２４のプリズムパターンは実質的に直交することが望ましい。
【００９０】
輝度向上フィルム４２６は、プリズムシート４２４の上面に配置され、後述する表示パネルに入射される光の輝度をより向上させる。
【００９１】
反射板４２８は、収納容器２００の底面２００と導光板４１０の光反射面４１６との間に介在され、導光板４１０の光反射面４１６から漏洩した光を導光板４１０に再び入射させる。
【００９２】
表示パネル６００は、パネルガイド部材３００の第１フレーム部３１０上に配置される。望ましくは、表示パネル６００は、薄膜トランジスタ基板６１０、カラーフィルタ基板６２０、および液晶層６３０を含む。
【００９３】
薄膜トランジスタ基板６１０は、複数の画素電極および各画素電極に電気的に接続された薄膜トランジスタ、薄膜トランジスタを駆動するための信号線を含む。
【００９４】
画素電極は、薄膜トランジスタ基板６１０上にマトリクス形態に配置され、各薄膜トランジスタのドレイン電極は、各画素電極に電気的に接続される。
【００９５】
信号線は、各薄膜トランジスタのゲート電極に連結された第１信号線および各薄膜トランジスタのソース電極に連結された第２信号線で構成される。
【００９６】
カラーフィルタ基板６２０は、画素電極と向い合う共通電極、各画素電極と対応する位置に形成されたカラーフィルタを含む。
【００９７】
液晶層６３０は、薄膜トランジスタ基板６１０とカラーフィルタ基板６２０との間に介在される。
【００９８】
シャーシ７００は、表示パネル６００が表示パネルガイド部材３００から離脱することを防止する。シャーシは、第１シャーシ部７１０及び第２シャーシ部７２０を含む。
【００９９】
第１シャーシ部７１０は、プレート形状を有し、表示パネル６００の周辺部に沿って形成される。第１シャーシ部７１０は、表示パネル６００の周辺部を囲み、表示パネル６００が表示パネルガイド部材３００の第１フレーム部３１０から離脱されることを防止する。
【０１００】
第２シャーシ部７２０は、第１シャーシ部７１０から表示パネルガイド部材３００の第２フレーム部３２０に沿って延びる。第２シャーシ部７２０は、第１側壁２２２に形成された第１かかり突起２２２ａと結合される。
【０１０１】
第２シャーシ部７２０のうち、第１側壁２２２に形成された第１かかり突起２２２ａと対応する位置には、締結部７２２が形成される。締結部７２２には、第１かかり突起２２２ａがかかり、これによってシャーシ７００は、収納容器２００に堅固に結合される。
【０１０２】
以上、詳細の説明によると、バックライトアセンブリの収納容器の側壁の構造を改善してバックライトアセンブリの側壁及び表示パネルをガイドする表示パネルガイド部材を重なり合わせたバックライトアセンブリにより、画像を表示しない部分の体積および面積をより減少させることができる効果を有する。
【０１０３】
以上、本発明の実施形態によって詳細に説明したが、本発明はこれに限定されず、本発明が属する技術分野において通常の知識を有するものであれば本発明の思想と精神を逸脱することなく、本発明を修正または変更できる。
【図面の簡単な説明】
【０１０４】
【図１】本発明の一実施形態によるバックライトアセンブリの斜視図である。
【図２】図１に示したバックライトアセンブリの分解斜視図である。
【図３】図２に示したランプアセンブリを示した部分切開斜視図である。
【図４】図２に示したランプ導光板を示した部分切開斜視図である。
【図５】図２の「Ｂ」部分を拡大した拡大斜視図である。
【図６】図１の収納容器に結合されたランプアセンブリを示した斜視図である。
【図７】図４に示したバックライトアセンブリの平面図である。
【図８】図１に示したバックライトアセンブリの「Ａ」部分の拡大図である。
【図９】図８の一部を切開した切開斜視図である。
【図１０】図９に示したバックライトアセンブリのＩ−Ｉ’線に沿う断面図である。
【図１１】図８に示したバックライトアセンブリのＩＩ−ＩＩ’線に沿う断面図である。
【図１２】本発明の一実施形態による表示装置の分解斜視図である。
【図１３】図１２をアセンブリした表示装置の斜視図である。
【図１４】図１３に示した表示装置のＩＩＩ−ＩＩＩ’に沿う断面図である。
【図１５】図１３に示した表示装置のＩＶ−ＩＶ’に沿う断面図である。
【符号の説明】
【０１０５】
１００    ランプアセンブリ、
１１０    ランプ、
１１２    ランプ本体、
１１４    電極、
１２０    ランプカバー（カバー）、
１２２    第１光反射面、
１２４    第２光反射面、
１２６    第３光反射面、
１２８    ランプホルダー、
２００    収納容器、
２１０    底面、
２２０    側壁、
２２２    第１側壁、
２２４    第２側壁、
３００    パネルガイド部材（パネルガイドフレーム）、
３１０    第１フレーム部、
３２０    第２フレーム部、
４１０    導光板、
４１６    光反射面、
４２０    光学部材、
４２２    拡散シート、
４２４    プリズムシート、
４２６    輝度向上フィルム、
４２８    反射板、
５００    バックライトアセンブリ。
【図１】
2006185914.tif 000003
【図２】
2006185914.tif 000004
【図３】
2006185914.tif 000005
【図４】
2006185914.tif 000006
【図５】
2006185914.tif 000007
【図６】
2006185914.tif 000008
【図７】
2006185914.tif 000009
【図８】
2006185914.tif 000010
【図９】
2006185914.tif 000011
【図１０】
2006185914.tif 000012
【図１１】
2006185914.tif 000013
【図１２】
2006185914.tif 000014
【図１３】
2006185914.tif 000015
【図１４】
2006185914.tif 000016
【図１５】
2006185914.tif 000017